(57)【要約】タッチおよびホバー・アクションの如何なる組み合わせとされるジェスチャを規定するシステムおよび方法であって、タッチおよびホバー・アクションは、如何なる順序および如何なる数の別個のタッチおよびホバー・アクションで組み合わされ、単一のジェスチャまたは一連のジェスチャを規定する。【選択図】図２
2016512371.tif 000002
【特許請求の範囲】
【請求項１】
タッチおよびホバー・センサを用いてタッチおよびホバー・ジェスチャを実行する方法であって、
タッチおよびホバー・センサを設けるステップであって、該タッチおよびホバー・センサが、少なくとも１つの指示物体の直接の接触を検知することができ、また、前記タッチおよびホバー・センサに近接する検知ボリュームで前記少なくとも１つの指示物体の存在を検知することができる、ステップと、
タッチおよびホバー・センサと共に前記少なくとも１つの指示物体による直接の接触を行うことにより少なくとも１つのタッチ・アクションを含み、且つ前記少なくとも１つの指示物体を前記検知ボリュームに移動させることによる少なくとも１つのホバー・アクションを含む単一のジェスチャを実行するステップと、
前記少なくとも１つのタッチ・アクションと前記少なくとも１つのホバー・アクションとを組み合わせて、前記単一のジェスチャとするステップと、
前記単一のジェスチャに関連付けられる少なくとも１つの機能を実行するステップと
を含む、方法。
【請求項２】
請求項１記載の方法において、前記少なくとも１つの指示物体が、スタイラス、１本の指、および複数の指を含んだ指示物体の群から選択される、方法。
【請求項３】
請求項２記載の方法であって、更に、前記ホバー・アクションを、旋回させる、前後に動かす、うねらせる、ピボットする、握る、押す、引く、指を離して広げる、指を一緒にまとめる、上げる、置く、前記指の単独の動き、手の動きと組み合わせた前記指の動き、および、前記指ではなく前記手の動きを含んだホバー・アクションの群から選択するステップを含む、方法。
【請求項４】
請求項２記載の方法であって、更に、前記タッチ・アクションを、旋回させる、前後に動かす、うねらせる、ピボットする、握る、押す、引く、指を離して広げる、指を一緒にまとめる、上げる、置く、前記指の単独の動き、手の動きと組み合わせた前記指の動き、および、前記指ではなく前記手の動きを含んだホバー・アクションの群から選択するステップを含む、方法。
【請求項５】
請求項２記載の方法において、更に、前記少なくとも１つのホバー・アクションが、前記タッチおよびホバー・センサによって検知可能である１つ以上の指の動きを含む、方法。
【請求項６】
請求項２記載の方法において、更に、前記少なくとも１つのタッチ・アクションが、前記タッチおよびホバー・センサによって検知可能である１つ以上の指の動きを含む、方法。
【請求項７】
請求項２記載の方法において、更に、前記単一のジェスチャが、前記少なくとも１つのホバー・アクションと同時に実行される少なくとも１つのタッチ・アクションを含む、方法。
【請求項８】
請求項２記載の方法であって、更に、前記スタイラスの前記タッチ・アクションおよび前記ホバー・アクションを、旋回させる、前後に動かす、うねらせる、ピボットすることを含んだ前記タッチおよびホバー・アクションの群から選択するステップを含む、方法。
【請求項９】
請求項２記載の方法であって、更に、前記単一のジェスチャが終了した後に、一定の期間にわたり前記機能が継続して実行されるように、前記少なくとも１つのタッチ・アクションまたは前記少なくとも１つのホバー・アクションに対して慣性を加えるステップを含む、方法。
【請求項１０】
タッチおよびホバー・センサを用いてタッチおよびホバー・ジェスチャを実行する方法であって、
タッチおよびホバー・センサを設けるステップであって、該タッチおよびホバー・センサが、少なくとも１つの指示物体の直接の接触を検知することができ、また、前記タッチおよびホバー・センサに近接する検知ボリュームで前記少なくとも１つの指示物体の存在を検知することができる、ステップと、
タッチおよびホバー・センサと共に前記少なくとも１つの指示物体による直接の接触を行うことによる少なくとも１つのタッチ・アクションを含み、または、前記少なくとも１つの指示物体を前記検知ボリュームに動かすことによるホバー・アクション、若しくは少なくとも１つのタッチ・アクションおよび少なくとも１つのホバー・アクションの組み合わせを含む単一のジェスチャを実行するステップと、
前記少なくとも１つのタッチ動作と前記少なくとも１つのホバー動作とが前記単一のジェスチャの一部として実行される場合に、前記少なくとも１つのタッチ動作と前記少なくとも１つのホバー・アクションとを組み合わせるステップと、
前記単一のジェスチャに関連付けられる少なくとも１つの機能を実行するステップと
を含む、方法。
【請求項１１】
請求項１０記載の方法において、前記少なくとも１つの指示物体が、スタイラス、１本の指、および複数の指を含んだ指示物体の群から選択される、方法。
【請求項１２】
請求項１１記載の方法であって、更に、前記ホバー・アクションを、旋回させる、前後に動かす、うねらせる、ピボットする、握る、押す、引く、指を離して広げる、指を一緒にまとめる、上げる、置く、前記指の単独の動き、手の動きと組み合わせた前記指の動き、および、前記指ではなく前記手の動きを含んだホバー・アクションの群から選択するステップを含む、方法。
【請求項１３】
請求項１１記載の方法であって、更に、タッチ・アクションを、旋回させる、前後に動かす、うねらせる、ピボットする、握る、押す、引く、指を離して広げる、指を一緒にまとめる、上げる、置く、前記指の単独の動き、手の動きと組み合わせた前記指の動き、および、前記指ではなく前記手の動きを含んだホバー・アクションの群から選択するステップを含む、方法。
【請求項１４】
請求項１１記載の方法において、更に、前記少なくとも１つのホバー・アクションが、前記タッチおよびホバー・センサによって検知可能である１つ以上の指の動きを含む、方法。
【請求項１５】
請求項１１記載の方法において、更に、前記少なくとも１つのタッチ・アクションが、前記タッチおよびホバー・センサによって検知可能である１つ以上の指の動きを含む、方法。
【請求項１６】
請求項１１記載の方法において、更に、前記単一のジェスチャが、前記少なくとも１つのホバー・アクションと同時に実行される少なくとも１つのタッチ・アクションを含む、方法。
【請求項１７】
請求項１１記載の方法であって、更に、前記スタイラスの前記タッチ・アクションおよび前記ホバー・アクションを、旋回させる、前後に動かす、うねらせる、ピボットすることを含んだタッチおよびホバー・アクションの群から選択するステップを含む、方法。
【請求項１８】
請求項１１記載の方法であって、更に、前記単一のジェスチャが終了した後に、一定の期間にわたり前記機能が継続して実行されるように、前記少なくとも１つのタッチ・アクションまたは前記少なくとも１つのホバー・アクションに対して慣性を加えるステップを含む、方法。
【発明の詳細な説明】
【技術分野】
【０００１】
本発明は、全般的に、タッチおよび近接感知の両方を実行することができるタッチ・センサに関するものである。ここでは、単一のジェスチャでタッチ・アクションと、非タッチ・アクション、即ちホバー・アクションとを組み合わせることができる。
【０００２】
本発明で用いることができるタッチパッド技術の一実施形態を記載することは、有用なものとなる。
【背景技術】
【０００３】
具体的には、CIRQUE（登録商標）社製の相互容量感応タッチパッド技術は、液晶ディスプレイ（ＬＣＤ）のようなディスプレイと組み合わせるときに本発明を実装するのに使用することができる。CIRQUE（登録商標）社製のタッチパッドは、相互容量感応デバイスであり、一例を図１にブロック図として示す。タッチパッドは、不透明な表面を使用するか、または透明な表面を用いて実装することができる。つまり、タッチパッドは、従来のタッチパッドとして、または、ディスプレイ上のタッチ感応表面として、即ちタッチスクリーンとして動作させることができる。
【０００４】
CIRQUE（登録商標）社製のタッチパッド技術では、行および列電極の格子を用いて、タッチパッドのタッチ感応エリアを規定する。通例、タッチパッドは約１６×１２電極、または空間に制約があるときには８×６電極の矩形格子である。これら行および列電極には、１つの感知電極が織りまぜられる。全ての位置測定は感知電極を通じて行われる。しかしながら、行および列電極は、感知電極としても動作することができ、つまり、少なくとも１つの電極が信号を駆動させ、他の電極が信号を検知するのに用いられる。
【０００５】
更に詳細には、図１は、CIRQUE（登録商標）社が教示する相互容量感応タッチパッド１０を示し、タッチパッドの電極グリッドに行（１２）および列（１４）（ＸおよびＹ）電極を含む。タッチパッドにおける全ての測定パラメータは、タッチパッドの電極グリッド上にまた配置される単一の感知電極１６から取得され、ＸまたはＹ電極１２，１４からではない。測定には固定した基準点は何ら用いられない。タッチパッド・センサ制御回路２０は、様々なパターンでＸおよびＹ電極１２，１４に直接送られる信号を、Ｐ，Ｎ発生器２２，２４から生成する。したがって、タッチパッド電極グリッド上の電極数とタッチパッド・センサ制御回路２０上の駆動ピンの数の間には、１対１の対応がある。
【０００６】
タッチパッド１０は、絶対容量測定に依存せずに、タッチパッド表面上の指（または他の容量型オブジェクト）の位置を決定することができる。タッチパッド１０は、検知線１６への電荷の不均衡を測定する。タッチパッド１０上に指示物体(pointing object)がない場合、タッチパッド・センサ制御回路２０は均衡状態にあり、検知線１６上には電荷の不均衡はない。電極１２，１４上に容量電荷があることもあるし、そうでないこともある。CIRQUE（登録商標）社の方法論では、このことは無関係である。指示物体が容量性結合のために、指示物体が不均衡を生ずると、タッチパッド電極グリッドを備える複数の電極１２，１４上に容量変化が生ずる。測定するのは容量変化であって、電極１２，１４上における絶対容量値ではない。タッチパッド１０は、検知線上において均衡を再確立するため即ち再現するために、検知線１６に注入しなければならない電荷量を測定することによって、容量変化を判定する。
【０００７】
指のような指示物体の位置を反映するために、タッチパッド１０は、Ｘ電極１２について、およびＹ電極１４についての２つの完全な測定サイクル（４つの完全な測定）を作らなければならない。そのステップは、Ｘ電極１２およびＹ電極１４の両方について次のとおりとなる。
【０００８】
第一に、Ｐ，Ｎ発生器２２からの第１信号によって電極のグループ（即ちＸ電極１２の選択グループ）が駆動され、相互容量測定デバイス２６を用いた第１測定が行われて、最大の信号の位置を判定する。しかしながら、１つの測定からでは、指が、最大信号に最も近い電極の一方の側上にあるか他方の側上にあるかについて知ることは不可能である。
【０００９】
次に、１本の電極によって最も近い電極の一方の側にシフトして、電極のグループは、再度信号によって駆動される。換言すれば、グループの一方の側への電極が即座に追加される一方で、元のグループの他方の側の電極はもはや駆動されない。
【００１０】
第三に、電極の新規のグループが駆動され、２回目の測定が行われる。
最後に、測定した２つの信号を比較する数式を用いて、指の位置が判定される。
したがって、タッチパッド１０は、指の位置を判定するために、静電容量の変化を測定する。上述した全てのハードウェアおよび方法論は、タッチパッド・センサ制御回路２０がタッチパッド１０の電極１２，１４を直接駆動させることを想定する。つまり、通例の１２×１６個の電極グリッドのタッチパッドについて、電極グリッドの電極１２，１４を駆動させるのに用いるタッチパッド・センサ制御回路２０から利用可能なピンは、合計２８本（１２＋１６＝２８）ある。
【００１１】
CIRQUE（登録商標）社製タッチパッドの感度または分解能は、１６×１２格子の行および列電極が含意するよりも遥かに高い。分解能は、通例、１インチ当たり約９６０カウント以上である。正確な分解能は、コンポーネントの感度、同じ行および列上にある電極１２，１４間の間隔、そして本発明にとっては重要でないその他の要因によって決定される。
【００１２】
CIRQUE（登録商標）製タッチパッドはＸおよびＹ電極１２，１４の格子、ならびに別個の単独検知電極１６を使用するが、多重化を用いることによって、検知電極１６もＸまたはＹ電極１２，１４にすることができる。いずれの設計でも、本発明が機能するのを可能にする。
【００１３】
CIRQUE（登録商標）社製タッチパッドの基礎技術は、相互容量センサに基づく。しかしながら、本発明のために他のタッチパッド技術も用いることができる。これら他の近接感知およびタッチ感知タッチパッド技術は、電磁気、感応、圧力検知、静電気、超音波、光、電気抵抗膜、半伝導性膜、または他の指若しくはスタイラス応答の技術を含む。
【発明の概要】
【課題を解決するための手段】
【００１４】
好ましい実施形態では、本発明は、タッチおよびホバー・アクションの如何なる組み合わせともなるジェスチャを規定するシステムおよび方法であり、タッチおよびホバー・アクションが、別々のタッチおよびホバー・アクションにおける如何なる順序でも組み合わされ、また、別々の数のタッチおよびホバー・アクションを伴う。別々のタッチおよびホバー・アクションは、単一のジェスチャまたは一連のジェスチャを規定することができる。
【００１５】
本発明のこれらのおよびその他の目的、特徴点、利点、および代わりの態様は、添付の図面と組み合わせて以下の詳細な説明を検討することによって、当業者には明白になるであろう。
【図面の簡単な説明】
【００１６】
【図１】図１は、CIRQUE（登録商標）社によって製造される相互容量感知型タッチパッドのコンポーネントのブロック図であり、本発明の原理にしたがって動作することができる。
【図２】図２は、タッチおよびホバー・センサ、並びに、タッチおよびホバー・ジェスチャの両方を用いて指を動かすようにして実行されるジェスチャの側面図である。
【図３Ａ】図３Ａは、タッチおよびホバー・センサより上部の検知ボリュームの斜視図である。
【図３Ｂ】図３Ｂは、タッチおよびホバー・センサより上部の検知ボリュームの側面図である。
【図４】図４は、タッチおよびホバー・スクリーンと共に用いるスタイラスの斜視図である。
【図５】図５は、２つのホバー・センサとは別のタッチ・センサの斜視図である。
【発明を実施するための形態】
【００１７】
これより、本発明の種々のエレメントに番号の指定(numeral designation)が与えられた図面を参照して、当業者が本発明を行い使用することを可能にするように、本発明について説明する。尚、以下の記載は、本発明の原理の説明に過ぎず、後に続く特許請求の範囲を狭めるように解釈してはならないことは言うまでない。
【００１８】
この文書全体にわたり「タッチ・センサ」という用語は、「相互容量タッチ・センサ」、「タッチ・パネル」、「近接センサ」、「感触および近接センサ」、「タッチパッド」、および「タッチスクリーン」と取り換え可能に用いることができることは言うまでもない。また、「ポータブル電子装置(portable electronic appliance)」という用語は、「携帯電話」、「スマートフォン・」および「タブレット・コンピュータ」で取り換え可能に用いることができる。
【００１９】
タッチ・センサの表面と接触すると、様々な命令として、または、様々な機能を制御する入力として解釈できるセンサに入力を供給することが可能である。例えば、当該入力は、グラフィカル・ユーザ・インタフェース上のカーソルを制御する形態のものとすることができる。他の機能にはジェスチャの実行が含まれるが、これに限定するものとみなしてはならない。ジェスチャは、タッチ・センサによって検知される如何なるアクションともすることができ、次いで、プログラムによって実行されることになる、あるアクションまたは機能と関連付けられる。
【００２０】
様々な基準を用いて、どのジェスチャが実行されているかを判断することができる。例えば、タッチ・センサの表面をタッチしている指の数、接触のタイミング、および追跡されている指の動きは全て、ジェスチャ間を区別できる要因となる。
【００２１】
しかしながら、近接感知型のタッチ・センサを用いると、上記のタッチ・センサとすることができる検知ボリューム（３次元のスペース）も存在する。当該タッチ・センサはまた、接触が行われない内に１つ以上のオブジェクトを検知および／または追跡することもできる。このデータはまた、タッチ・センサの性能に応じて使用可能とすることもできる。このデータは、表面を離れたデータ、近接度、またはホバー情報から生じるものとして特徴付けることができる。つまり、ホバリングは、１つ以上の指がタッチ・センサにわたり配置されるものとして規定され、その結果、タッチ・センサと接触することなく検知可能となる。ホバーという用語は、１本の指または複数の指が静止していないことを意味するが、接触から除かれるに過ぎない。
【００２２】
本発明の第１実施形態は、単一のタッチ・センサによって収集されるタッチおよびホバー・データを結合するというコンセプトに向けられる。単一のタッチ・センサは、近接性またはホバー情報をタッチ情報と同様に収集する機能を含む。結合するタッチおよびホバー情報は、結果として、入力情報の追加のレベルとなり得、如何なるコンピューティング・デバイスへの入力を提供する。
【００２３】
第１実施形態のコンセプトを図示するために用いることができる幾らかの例がある。図２に、単一の指の動きを示すスナップショットの図示を提供し、単一の指は最初の位置４０から最後の位置４６まで進む。
【００２４】
図２は、タッチおよびホバー・センサ３０を示す。タッチおよびホバー・センサ３０は線状の設計としてもよく、表面３４上または、それよりも上部の検知ボリュームのいずれかで長軸４８に沿うように、２次元でオブジェクトを検知することができる。代替として、タッチおよびホバー・センサ３０は、表面３４の上と同様に、２次元の表面３４上のオブジェクトを検知する標準設計としてもよい。
【００２５】
本実施形態は単一のジェスチャを示しており、指３２が位置４０から開始する。ユーザは、タッチ・アクションでタッチおよびホバー・センサの表面３４に沿って指３２を位置４２に到達するまで動かす。指３２は、次いで、タッチおよびホバー・センサ３０から持ち上げられて離れるが、ホバー・アクションの同一方向での動きを継続する。指３２は、次いで、別のタッチ・アクションの位置４４で、タッチおよびホバー・センサ３０と接触する。指３２は、次いで、タッチ・アクションの位置４６に到達するまで表面３４に沿って動きを継続する。指３２は、次いで、停止して、タッチおよびホバー・センサ３０から除かれる。
【００２６】
重要なことは、タッチおよびホバー・センサ３０が常に指３２の位置を認識していたということである。指がタッチおよびホバー・センサ３０の表面３４にある間、および表面３４の上にある間は、指３２は追跡され続けていたことを意味する。タッチ・アクションおよびホバー・アクションは、単一のジェスチャに結合することができる。または、タッチ・アクションおよびホバー・アクションは、別々の関係のないイベントとみなすことができる。
【００２７】
代替の実施形態では、複数の指３２を同時に使うことができる。指３２は、タッチおよびホバー・センサ３０の表面３４上に全てが同時にあってもよく、タッチおよびホバー・センサ３０より上部に全てがあってもよく、または、幾らかの指３２が表面上にあると共に、他の指がまた表面より上部にあってもよい。
【００２８】
１つ以上の指を有するジェスチャは、単に、タッチおよびホバー・センサ３０上に、ホバー・センサ３０より上部に、およびホバー・センサ３０上且つこれより上部にあることに限定されない。他の代替の実施形態では、指３２はまた、ジェスチャの間、位置を変更することもできる。例えば、指３２は、ホバー・アクションにおいてタッチおよびホバー・センサ３０より上部で開始し、次いで、タッチ・アクションにおいて表面３４へ動かしてもよい。同様に、指３２は、タッチ・アクションにおいてタッチおよびホバー・センサ３０上で開始し、次いで、ホバー・アクションにおいて持ち上げて離れてもよい。代替として、幾らかの指がタッチ・アクションにおいて表面３４上で開始し、他の指がホバー・アクションにおいて表面より上部で開始し、次いで、１つ以上の指が位置をスイッチしてもよい。
【００２９】
図３Ａに示した代替の他の実施形態では、ジェスチャは、タッチおよびホバー・センサ３０上に指を置き次いでそれらを放すという動きによって規定されるだけではなく、表面３４上または表面より上部にある間の動きによって規定されてもよい。
【００３０】
検知ボリューム３６での動きを検知することによって、タッチおよびホバー・センサ３０より上部の動きを検知することができる。検知ボリューム３６は、タッチ・およびホバー・センサ３０より上部の空間における３次元ボリュームとして規定することができる。検知ボリューム３６における３次元空間の正確な大きさ(dimension)は正確に示されていないことが理解される。図示の検知ボリューム３６は、特定の形状に限定するものとみなしてはならず、例示の目的でのみに過ぎない。検知ボリューム３６の形状は、より適切には、図３Ｂのプロファイルに示したような球形の先を切り取ったものであり、当該球形の切り取った部分がタッチおよびホバー・センサ３０を規定する。しかしながら、図３Ｂに示す検知ボリュームはまた、検知ボリュームの実際の形状に限定するものとみなしてはならない。
【００３１】
動きを伴うジェスチャは、指を離して広げる、または指を全て一緒となるように指を動かすといったことを含むことができる。指を離して広げることは、タッチ・アクション若しくはホバー・アクション、またはそれらの組み合わせとして実行することができる。
【００３２】
如何なる機能も、これらのジェスチャに割り当てることができる。例えば、全ての指３２がタッチしている位置から全ての指３２を離して広げる位置をまで指を動かす場合は、当該ジェスチャはズーム機能として解釈することができる。ズーム機能は、ズーム・アウト機能を定義する１つの動きとズーム・イン機能と定義する逆の動きによって、ズーム・インまたはズーム・アウトということになる。
【００３３】
他のジェスチャは、これに限定されないが、握る、押す、引く、離して広げる、上げる、置く、指単独の動き、手の動きと組み合わせた指の動き、指の動きではない手の動き、または、手および指によって検知ボリューム３６で実行できる認識可能な他の如何なるジェスチャをも含むことができる。
【００３４】
ジェスチャはまた、反復的な動きを含むこともできる。例えば、ジェスチャは、タッチ・アクション、次いでホバー・アクション、次いで再度のタッチ・アクションを含んでもよい。代替として、ジェスチャは、ホバー・アクションから始まり、タッチ・アクション、次いで再度のホバー・アクションを含んでもよい。タッチ・アクションおよびホバー・アクションは、如何なる順序や、如何なる組み合わせとすることができ、その結果、一意のジェスチャを生成することができるということが理解されなければならない。
【００３５】
本発明の他の実施形態では、ジェスチャは、運動量を使用するものとして定義される。例えば、画像、ファイル、またはアプリケーション内での押すまたは引くジェスチャの実行は、運動量または慣性的な動きにおける正確性のレベルを向上させるために、タッチおよびホバー・センサ３０によって認識される運動量データと組み合わせることができる。例えば、ユーザは、離して広げ、次いでそれらを一緒にまとめる全ての指３２を使用して、ズーム・イン・ジェスチャを実行することができる。当該動きは、タッチおよびホバー・センサ３０から離れて動いている付加的な手の動きと組み合わせることができる。当該手の動きは、ズーム・イン・ジェスチャと同時に行うことができ、そして、手および指がタッチおよびホバー・センサ３０の検知ボリューム３６内からもはやなくなった後であっても、一定期間にわたりズーム・イン・ジェスチャを継続させることができる。ジェスチャが終了した後にジェスチャが継続できる期間を調整して、慣性の感覚(feeling)をジェスチャに与えることができる。当該感覚は、ジェスチャが終了した後に直ちに終了するのではなく、徐々に停止させる。
【００３６】
本発明の他の実施形態では、ユーザは、タッチおよびホバー・センサ３０全体にわたり指３２の動きとして定義されるジェスチャを実行することを望んでもよい。
タッチおよびホバー・センサ３０は、動きの長さ全体にわたりタッチおよびホバー・センサと接触を維持するのが困難な環境におけるものとすることができる。
【００３７】
例えば、車両の或る機能について制御する入力を提供するタッチおよびホバー・センサ３０を収容する車両について検討する。ユーザがファンの気流を増大させるのを望むことを想定する。ファンは、タッチおよびホバー・センサ３０によって制御することができる。ユーザは、指をタッチし、次いで、ファンの速度を上げるために、タッチおよびホバー・センサ３０の表面３４に沿って指を走らせることを必要とする。しかしながら、ユーザがタッチおよびホバー・センサ３０に沿って指を走らせるにつれて、突起にぶつかり(hit a bump)、瞬間的に、指を持ち上げ、タッチおよびホバー・センサとの接触を失うことになる。しかしながら、ユーザは、指３２を所望の方向に動かすのを継続することができる。更にまた、ユーザは、タッチおよびホバー・センサ３０と再び接触することができ、指の実質的に直線的な動きを中断することはない。例えば、動きは図２に示すものとすることができる。
【００３８】
指３２の直線的な動きが位置４２，４４の間の部分(segment)によって中断されたにも拘わらず、タッチおよびホバー・センサ３０は、たとえ動きが当該タッチおよびホバー・センサ上およびこれより上部の両方であったとしても、単一の方向における中断されないものとしてジェスチャを解釈することができる。ジェスチャが位置４６で完了した後は、ファンの速度について、如何なるファンの速度も位置４２から位置４６までの指の動きと関連付けられることになろう。ジェスチャは、タッチおよびホバーの如何なる組み合わせとしてもよく。また、タッチまたはホバーで開始してもよい。
【００３９】
図４に示す本発明の別の実施形態では、タッチおよびホバー・ジェスチャは、タッチおよびホバー・タッチ・スクリーン５０上のスタイラス５２と組み合わせて使用されることができる。スタイラス５２は、特徴部にインク付けをする一意の制御を可能にするために、タッチおよびホバー・タッチ・スクリーン５０によって用いることができる。例えば、タッチおよびホバー・タッチ・スクリーン５０へのインク付けの濃さを変更することは、望ましいことである。スタイラス５２を用いたジェスチャを実行するために、ユーザは、タッチおよびホバー・タッチ・スクリーン５０においてスタイラス５２を持ち上げて離し、また、仮想的に表示されることになるインクの濃さを変更するタッチおよびホバー・タッチ・スクリーンにわたる検知ボリューム３６でのアクションを実行することができる。ユーザは、次いで、スタイラス５２を用いてタッチおよびホバー・タッチ・スクリーン５０にタッチし、調整されたインク付けの濃さを用いることができる。
【００４０】
スタイラス５２を用いて実行できるジェスチャは、旋回させること(twirling)、前後に動かすこと、うねらせること(waving)、ピボットすること、または、全ての他の考えられる動きと区別できる如何なる他の認識可能なスライラスの動きを含むことができるが、これに限定するものとみなしてはならない。
【００４１】
本発明の他の実施形態では、ユーザは、タッチおよびホバー・タッチ・スクリーン５０上に示されるオブジェクトをドラッグ・アンド・ドロップするのを望むでもよい。ユーザは、それにタッチし、次いで指をタッチおよびホバー・タッチ・スクリーン５０から持ち上げて離すことによってオブジェクトを選択し、そして、異なる位置での接触を行うことができ、これにより、当該オブジェクトを、異なる位置に動かすか、またはドラッグさせる。
【００４２】
図５に示される他の本発明の他の代替の実施形態では、タッチ・センサ６０およびホバー・センサ６２は、別々の装置としてもよく、２以上のデバイスとしてもよい。タッチ・センサ６０およびホバー・センサ６２におけるセンサは、それら機能を実行するために、異なる感知技術をも用いることさえもできる。センサは、専用のものとしてもよく、または、それらは他の機能を共有することもできる。
【００４３】
本発明の別の態様は、ホバー・センサ６２がタッチ・センサ６０とは異なる動作容積を有することができるということである。例えば、ホバー・センサ６２は、左、右、左右、またはタッチ・センサ６０の下部さえにおける検知量を有することができる。
【００４４】
本発明の他の態様では、タッチおよびホバー・タッチ・スクリーン５０は、接触を行う前にホバーするときに、視覚的フィードバックをユーザに提供することができる。
尚、以上で説明した構成は、本発明の原理の応用を例示するに過ぎないことは理解されてしかるべきである。本発明の主旨や範囲から逸脱することなく、数多くの変更および代替構成も、当業者によって考案することができる。添付する特許請求の範囲は、このような変更および構成にも当てはまることを意図している。
【図１】
2016512371.tif 000003
【図２】
2016512371.tif 000004
【図３Ａ】
2016512371.tif 000005
【図３Ｂ】
2016512371.tif 000006
【図４】
2016512371.tif 000007
【図５】
2016512371.tif 000008
【国際調査報告】
2016512371.tif 000009